(57)【要約】【課題】凹所を形成することにより床材に生じる反りを最小限に抑え、かつ面状発熱体としてのＰＴＣヒータが剥がれることなく、凹所に収まり、床暖房効果を維持することのできる床暖房パネルを提供すること。【解決手段】床材１の裏面部にくり抜かれて形成された凹所４の天井部に面状のＰＴＣヒータ５が全面接着により固定され、凹所の長手方向、短手方向にそれぞれのびる横桟１０、縦桟１１により組み立てられた補強枠９が、凹所内においてＰＴＣヒータの下側に配設され、ＰＴＣヒータにおいて補強枠が当接する部分に電極が設けられるか、ＰＴＣ素体が設けられないかして非加熱部とされ、非加熱部においてＰＴＣヒータの裏面が補強枠に接着により固定されている。【選択図】図１
2007315693.tif 000002
【特許請求の範囲】
【請求項１】
床材の裏面部にくり抜かれて形成された凹所の天井部に面状のＰＴＣヒータが全面接着により固定され、凹所の長手方向、短手方向にそれぞれのびる横桟、縦桟により組み立てられた補強枠が、凹所内においてＰＴＣヒータの下側に配設された床暖房パネルであって、ＰＴＣヒータにおいて補強枠が当接する部分に電極が設けられるか、ＰＴＣ素体が設けられないかして非加熱部とされ、非加熱部においてＰＴＣヒータの裏面が補強枠に接着により固定されていることを特徴とする床暖房パネル。
【請求項２】
断熱材が補強枠内に収容されている請求項１記載の床暖房パネル。
【発明の詳細な説明】
【技術分野】
【０００１】
本願発明は、床暖房パネルに関する。
【背景技術】
【０００２】
屋内暖房の一つとして床暖房が利用されており、床暖房を実現するものとして、たとえば、四周の外芯材により芯組を形成し、芯組の表面にヒータ線および均熱シートを順次積層固着するとともに、芯組の裏面に裏面材を固着して、芯組の内部および均熱シートと裏面材との間に形成された空間に合成樹脂発泡体が充填され、剛性を高めるために、芯組の内部に空間を仕切るように中芯材を設けた床暖房パネルが知られている（特許文献１）。
【特許文献１】特開２００３−１８５１６２号公報
【発明の開示】
【発明が解決しようとする課題】
【０００３】
特許文献１に記載された床暖房パネルは、芯組に対しその表面に仕上材が貼着されて暖房床材が形成されるものであり、それ自体が木質床材として床表面部を形成することができるものではない。敷設により床表面部を形成することができる木質床材が暖房機能を併せ持つものであれば、施工が簡便になるなどのメリットがもたらされる。だが、暖房機能をも有する木質床材である床暖房パネルを実現するためには、次のような問題を解決しなければならない。
【０００４】
すなわち、床下との断熱効率を上げるためには、断熱材を床材の内部に組み込むことが必要とされる。この点は特許文献１に記載された床暖房パネルと同様であるが、芯組ではなく下地合板を有して形成される床材の場合、裏面部に凹所を深く形成しなければならず、この凹所の形成によって、床材の表裏における構造上のバランスが極端に崩れ、床材に反りが発生するという問題がある。床材の両側端部が内側に向かって凹状に反る。発生する反りに起因して、床暖房パネルの製造が困難となったり、反りを抑え込むのに手間取り、施工の難度が上がったりするという派生的な問題が生じる。また、反りにともなって床材同士の実結合部に凹凸が生じ、仕上がり外観が低下するという問題もある。
【０００５】
しかも、凹所に組み込むヒータに面状発熱体を採用する場合、複雑な配線を要しないなどのメリットがある一方で、面状発熱体に平均的に１０ｋｇｆ/ｃｍ２程度の平面引張力が加わる場合には面状発熱体の全面接着は特に問題とならないが、床暖房の運転・停止が繰り返されるにしたがって床材の含水率が変化し、反りが発生すると、反る部分において面状発熱体に部分的に引き剥がし力が発生する。この引き剥がし力によって面状発熱体は床材から剥がれてしまい床暖房効果が低下することになる。
【０００６】
本願発明は、このような事情に鑑みてなされたものであり、凹所を形成することにより床材に生じる反りを最小限に抑え、かつ面状発熱体としてのＰＴＣヒータが剥がれることなく、凹所に収まり、床暖房効果を維持することのできる床暖房パネルを提供することを課題としている。
【課題を解決するための手段】
【０００７】
本願発明は、上記の課題を解決するために、第１に、床材の裏面部にくり抜かれて形成された凹所の天井部に面状のＰＴＣヒータが全面接着により固定され、凹所の長手方向、短手方向にそれぞれのびる横桟、縦桟により組み立てられた補強枠が、凹所内においてＰＴＣヒータの下側に配設された床暖房パネルであって、ＰＴＣヒータにおいて補強枠が当接する部分に電極が設けられるか、ＰＴＣ素体が設けられないかして非加熱部とされ、非加熱部においてＰＴＣヒータの裏面が補強枠に接着により固定されていることを特徴としている。
【０００８】
本願発明は、第２に、断熱材が補強枠内に収容されていることを特徴としている。
【発明の効果】
【０００９】
本願の第１の発明によれば、床材の裏面部にくり抜かれて形成された凹所の長手方向、短手方向にそれぞれのびる横桟、縦桟により組み立てられた補強枠が、凹所内において面状のＰＴＣヒータの下側に配設されるため、補強枠によって床材の表裏における構造上のバランスをとることができ、反りの発生を抑制することができる。
【００１０】
また、凹所の天井部に全面接着により固定される面状のＰＴＣヒータには、補強枠が当接する部分に電極が設けられるか、ＰＴＣ素体が設けられないかして非加熱部とされ、非加熱部においてＰＴＣヒータの裏面が補強枠に接着により固定されているため、床暖房の運転・停止を繰り返すことにより床材に反りが生じたとしても引き剥がし力を十分抑えることができ、床材から剥がれずにすむ。床暖房効果が良好に維持される。
【００１１】
本願の第２の発明によれば、断熱材は、補強枠内に収容されるため、凹所内での動きが抑制され、偏らずに安定して配置され、ＰＴＣヒータが発する熱が床材裏面側に放出されるのを十分に抑制することができる。
【発明を実施するための最良の形態】
【００１２】
図１は、本願発明の床暖房パネルの一実施形態を示した裏面図であり、図２は、図１図中のＡ−Ａ断面図である。
【００１３】
床材１は、木質の横長長方形形状を有する部材であり、下地合板を有して形成され、表面に化粧シートが貼着されている。隣接する一方の長辺部と短辺部とに雄実２が、他方の長辺部と短辺部とに雌実３が形成され、前後左右に隣接する床暖房パネル同士の実結合によって床表面部を形成可能としている。
【００１４】
床材１の裏面部には、略矩形の凹所４がくり抜かれて形成されている。凹所４の深さは、ＰＴＣヒータ５および断熱材６を組み込むことができるやや深いものとされている。ＰＴＣヒータ５は、凹所４の天井部に全面接着により固定されている。ＰＴＣヒータ５は、ＰＴＣ（positive temperature coefficient）特性（正の抵抗温度特性 （温度が上昇すると抵抗が増加する））を有する、シート状の薄いヒータである。図３に示したように、ＰＴＣヒータ５は、くし歯電極７およびＰＴＣ素体８を備え、たとえばＰＥＴフィルムなどのラミネートフィルムによってくし歯電極７およびＰＴＣ素体８が封入されて形成される。
【００１５】
また、図１に示したように、凹所４には、凹所４の大きさおよび形状に略等しい大きさおよび形状を有する補強枠９が配設されている。補強枠９は、凹所４の長手方向にのび、凹所４の長さに略等しい長さを有する横桟１０が２本凹所４の幅に合わせて対向配置され、その両端に、凹所４の短手方向にのび、凹所４の幅に略等しい長さを有する縦桟１１が連結され、さらに、横桟１０の中央部において両横桟１０を縦中桟１２により連結するとともに、横桟１０に平行に配置される横中桟１３によって縦桟１１および縦中桟１２をその中央部において連結して組み立てられている。
【００１６】
このように組み立てられた補強枠９が凹所４内においてＰＴＣヒータ５の下側に配設されている。そして、ＰＴＣヒータ５では、補強枠９の横桟１０、縦桟１１、縦中桟１２および横中桟１３が当接する部分のみ、図３に示したように、接着剤１４が塗布され、補強枠９に固定される。ＰＴＣヒータ５において接着剤１４が塗布される部分は、くし歯電極７が設けられた部分やＰＴＣ素体８が設けられていない部分である非加熱部に対応する。ＰＴＣ素体８には、該当箇所に丸穴１５などを設けることにより、ＰＴＣ素体８のない非加熱部を形成することができる。ＰＴＣ素体８のない非加熱部では、ラミネートフィルム同士が熱溶着などにより直接接着されているため、各々のラミネートフィルムに加わる水平方向のストレスに対しＰＴＣヒータ５が耐えることができ、破壊などが生じない。図３に示したＰＴＣヒータ５では、非加熱部は、長手方向に沿った両側とその間の中央部となっている。
【００１７】
このように、ＰＴＣヒータ５を裏面全面に接着剤を塗布して固定するのではなく、補強枠９の横桟１０、縦桟１１、縦中桟１２および横中桟１３が当接する部分を非加熱部とし、この非加熱部にのみ接着剤１４を塗布することにより、ＰＴＣヒータ５の裏面は部分的に補強枠９に固定されることになり、床暖房の運転・停止を繰り返すことにより床材１に反りが生じたとしても引き剥がし力を十分抑えることができ、床材１から剥がれずにすむ。床暖房効果が良好に維持される。
【００１８】
また、補強枠９の配設は、床材１の表裏における構造上のバランスをとるのに有効であり、凹所４を設けることに起因して生じやすい床材１の反りの発生を抑制することができる。しかも、床材１の表面側から加わる荷重を補強枠９によって十分に受けることができ、床暖房パネルの強度が保たれる。特に、中央部に配設される横中桟１３および縦中桟１２は床の強度を保つのに有効である。端側の横桟１０および縦桟１１は下地合板との接着性を保つために有効となる。
【００１９】
断熱材６は、補強枠９において、横桟１０、縦桟１１、縦中桟１２および横中桟１３により囲まれた部分に収容されている。断熱材６には、通常用いられるものを板状に成形したものが使用可能である。本実施形態では、いわゆる真空断熱材が断熱材として採用されている。真空断熱材は、微粉末や微小なサイズの連続気泡を有する発泡体を真空保持性の良好なプラスチックまたは金属ラミネートフィルム内に挿入し、真空密封することにより製造される断熱パネルである。その断熱性能は、ポリウレタンなどの一般的な断熱材に比べ非常に高く、熱伝導を良好に抑制し、しかも高い断熱性を実現しながらも厚みを薄くすることができる。真空断熱材の採用は、ＰＴＣヒータ５が発する熱の床材１の裏面側への伝熱を抑えることができ、熱ロスが抑えられ、効率的に床材１の表面に向けて伝熱を行うことができので有効である。また、凹所４は、床材１に発生する反りを抑えるために深さを浅くすることが好ましいため、厚みの薄い真空断熱材の採用は、床材１の反りの抑制にも有効である。
【００２０】
このような床暖房パネルにおいて、裏面には、床材１と補強枠９の裏面にホルムアルデヒドなどの有害物質を捕捉することのできるキャッチャー材が塗布されたシート１６を配設することができる。
【図面の簡単な説明】
【００２１】
【図１】本願発明の床暖房パネルの一実施形態を示した裏面図である。
【図２】図１図中のＡ−Ａ断面図である。
【図３】ＰＴＣヒータの概要を示した平面図である。
【符号の説明】
【００２２】
１    床材
２    雄実
３    雌実
４    凹所
５    ＰＴＣヒータ
６    断熱材
７    くし歯電極
８    ＰＴＣ素体
９    補強枠
１０    横桟
１１    縦桟
１２    縦中桟
１３    横中桟
１４    接着剤
１５    丸穴
１６    シート
【図１】
2007315693.tif 000003
【図２】
2007315693.tif 000004
【図３】
2007315693.tif 000005